(57)【要約】疎水変性尿素エーテルを含む消費者製品組成物。【特許請求の範囲】
【請求項１】
消費者製品組成物であって、
ａ）疎水性材料と、
ｂ）前記組成物の０．１重量％〜１０重量％の、以下の構造：
【化１】
2019512583.tif 000032
（式中、Ｒ１、Ｒ２、及びＬは、置換又は非置換の脂肪族炭素鎖、置換又は非置換のポリエーテル鎖、及びこれらの混合物からなる群から選択され、
ただし、少なくとも１つのＲ１、Ｒ２、又はＬがエーテル部分を含有する）を有する疎水変性尿素エーテルと、を含み、
前記疎水変性尿素エーテルが、１０００〜７０００Ｄａの分子量を有する、消費者製品組成物。
【請求項２】
前記疎水変性尿素エーテルにおいて、Ｌが、以下の式：
（ＩＩ）−Ａａ−Ｂｂ−Ｃｃ−Ｄｄ−
（式中、ａ、ｂ、ｃ、及びｄは、独立して０〜４０から選択される整数であり、（ａ＋ｂ＋ｃ＋ｄ）は３〜１３２であり、
Ａ、Ｂ、Ｃ、Ｄは、独立して、以下からなる群から選択され、
【化２】
2019512583.tif 000033
Ｒ、Ｓ、Ｔ１、Ｔ２、Ｖは、独立して、以下からなる群から選択され、
【化３】
2019512583.tif 000034
Ｗは、−Ｈ又は−ＣＨ３であり、ｗは、１〜３０の整数であり、Ｒ３は、８〜２０個の炭素の置換又は非置換の脂肪族炭素鎖である）を有する、請求項１に記載の消費者製品組成物。
【請求項３】
前記疎水変性尿素エーテルにおいて、Ｒ１及びＲ２が、独立して、以下：
【化４】
2019512583.tif 000035
（式中、
Ｎ、Ｍ、及びＥは、独立して、−Ｈ、−ＣＨ３、−ＣＨ２ＣＨ３からなる群から選択され、
ｎは、８〜２０の整数であり、
ｅ及びｆは、独立して、０〜３０から選択される整数であり、（ｅ＋ｆ）は、１〜３０である）からなる群から選択される、請求項１又は２に記載の消費者製品組成物。
【請求項４】
前記疎水変性尿素エーテルにおいて、Ｒ１、Ｒ２、及びＲ３が同じである、請求項１〜３のいずれか一項に記載の消費者製品組成物。
【請求項５】
前記疎水変性尿素エーテルにおいて、前記ポリエーテル鎖が、部分的に置換されている、請求項１〜４のいずれか一項に記載の消費者製品組成物。
【請求項６】
前記疎水変性尿素エーテルが、１１００〜３５００Ｄａの分子量を有する、請求項１〜５のいずれか一項に記載の消費者製品組成物。
【請求項７】
前記疎水性材料が、香料原料、皮膚軟化剤、溶媒、抗菌剤、感覚剤、又はこれらの混合物であり、好ましくは、前記疎水性材料が、香料原料、溶媒、及びこれらの混合物を含む香料組成物である、請求項１に記載の消費者製品組成物。
【請求項８】
前記組成物が、少なくとも部分的に封入されており、好ましくは、前記封入物が、コアシェル封入物、マトリックス封入物、及びこれらの混合物から選択される、請求項１〜７のいずれか一項に記載の消費者製品組成物。
【請求項９】
前記封入物が、コアシェル封入物であり、好ましくは、前記コアシェル封入物のシェル材料が、メラミン−ホルムアルデヒド、アクリレート由来ポリマー及び／又は多官能アクリレート、ポリアミド、ポリ尿素、ポリウレタン、ポリカーボネート、ポリビニルアルコール、アセタール、デンプン、酢酸フタル酸セルロース、又はこれらの混合物を含む、請求項８に記載の消費者製品組成物。
【請求項１０】
前記消費者製品が、以下：
ａ．消費者製品の総重量に基づいて、合計０．０１重量％〜１０重量％の、請求項７〜１０のいずれか一項に記載の組成物と、界面活性剤、ビルダー、キレート剤、移染防止剤、分散剤、酵素及び酵素安定剤、触媒材料、漂白活性化剤、布地柔軟剤活性物質、過酸化水素、過酸化水素源、予形成過酸、ポリマー分散剤、泥汚れ除去／再付着防止剤、増白剤、抑泡剤、染料、色相染料、香料、香料送達系、構造伸縮性付与剤、担体、構造化剤、ヒドロトロープ、加工助剤、溶媒、顔料、及びこれらの混合物からなる群から選択される材料とを含む洗濯洗剤、
ｂ．消費者製品の総重量に基づいて、合計０．０１重量％〜２５重量％の、請求項７〜１０のいずれか一項に記載の組成物と、所望により、界面活性剤、抗菌剤、湿潤剤、緩衝剤、シクロデキストリン、噴射剤、及び溶媒からなる群から選択される１つ以上の材料とを含む空気ケア製品、
ｃ．組成物の総重量に基づいて、合計０．０１重量％〜１０重量％の、請求項７〜１０のいずれか一項に記載の組成物と、第四級アンモニウム化合物、シリコーンポリマー、多糖類、粘土、アミン、脂肪酸エステル、分散性ポリオレフィン、ポリマーラテックス、及びこれらの混合物からなる群から選択される布地柔軟剤活性物質とを含む液体布地強化剤、
ｄ．０．１重量％〜８重量％の、請求項７〜１０のいずれか一項に記載の組成物と、少なくとも約２５重量％のＰＥＧ  ８０００とを含む布地強化剤固体粒子又はビーズ製品、
ｅ．０．１重量％〜１０重量％の、請求項７〜１０のいずれか一項に記載の組成物を含み、不織布シートに含浸されている布地柔軟剤乾燥機添加シート製品、
ｆ．消費者製品の総重量に基づいて、合計０．０１重量％〜５重量％の、請求項７〜１０のいずれか一項に記載の組成物と、所望により、約０．０１重量％〜約７５重量％の抗菌剤とを含み、好ましくは前記抗菌剤が、金属、ゼオライト、金属ゼオライト、第四級アンモニウム化合物、ｑｕａｔ結合粘土、金属結合粘土、ポリアスピリン、サリチル酸、ポリビニルアミン、コールタール、硫黄、ホイットフィールド軟膏、カステラーニ塗布剤、塩化アルミニウム、ゲンチアナバイオレット、ピロクトンオラミン、シクロピロックスオラミン、ウンデシレン酸及びその金属塩、過マンガン酸カリウム、硫化セレン、チオ硫酸ナトリウム、グリコール、ジオール、橙皮油、尿素製剤、グリセオフルビン、８−ヒドロキシキノリンクリオキノール、チオベンダゾール、チオカルバメート、ハロプロジン、ポリエン、ヒドロキシピリドン、モルホリン、ベンジルアミン、アリルアミン、茶木油、クローブリーフ油、コリアンダー、パルマローザ、ベルベリン、タイムレッド、ケイ皮油、ケイ皮アルデヒド、シトロネリル酸、ヒノキトール、イクチオールペール、Ｓｅｎｓｉｖａ  ＳＣ−５０、Ｅｌｅｓｔａｂ  ＨＰ−１００、アゼライン酸、リチカーゼ、ヨードプロピニルブチルカルバメート、トリクロサン、トリクロカルバン、イソチアザリノン及びアゾール、並びにこれらの組み合わせ、より好ましくは、ヘキサンジオール、トリクロサン、オクチルイソチアザリノン、Ｚｎ、Ｃｕ、Ａｌ、Ｔｉ、Ｓｎ、Ｂｉ、及びＡｇからなる群から選択される金属、炭酸亜鉛、硫酸銅、及びグルコン酸亜鉛からなる群から選択される金属塩、ＺＰＴ及びＣｕＰＴからなる群から選択される金属ピリチオン塩、プロピレングリコール、ジプロピレングリコール、及びヘキシレングリコールからなる群から選択されるグリコール、並びにこれらの混合物からなる群から選択されるパーソナルケア脱臭製品、
ｇ．消費者製品の総重量に基づいて、合計０．０１重量％〜５重量％の、請求項７〜１０のいずれか一項に記載の組成物と、約３重量％〜３０重量％の界面活性剤と、所望により、ミセル相及び／又はラメラ相とを含むパーソナルケアボディウォッシュ／シャンプー製品、
ｈ．消費者製品の総重量に基づいて、合計０．０１重量％〜５重量％の、請求項７〜１０のいずれか一項に記載の組成物と、所望により、約１重量％〜約２５重量％のアルミニウム塩制汗剤活性物質とを含むパーソナルケア制汗剤製品、
ｉ．消費者製品の総重量に基づいて、合計０．０１重量％〜２重量％の、請求項７〜１０のいずれか一項に記載の組成物を含む食器洗浄製品、
ｊ．消費者製品の総重量に基づいて、合計０．１重量％〜２５重量％の、請求項７〜１０のいずれか一項に記載の組成物を含むスキンケア製品；
ｋ．これらの混合物から選択される、請求項９に記載の消費者製品。
【発明の詳細な説明】
【技術分野】
【０００１】
本発明は、疎水変性尿素エーテル、該疎水変性尿素を含む組成物、及び該組成物を含む消費者製品に関する。
【背景技術】
【０００２】
Ｊｅｆｆａｍｉｎｅ（登録商標）の商標名で周知であるポリエーテルアミンは、ポリエーテル骨格の末端に結合した一級アミノ基を含有する。ポリエーテル骨格は、通常、プロピレンオキシド、エチレンオキシド、又はこれらの混合物に基づく。
【０００３】
ポリエーテルアミンは、ポリ尿素用の架橋剤として、エポキシ系における補助試薬として、及び腐食阻害物質としてよく知られている。
【発明の概要】
【発明が解決しようとする課題】
【０００４】
驚くべきことに、いくつかの疎水性尿素官能基を導入すると、これらポリエーテルアミンを効率的なレオロジー変性剤に転換して、粘度の増大、又は更にはゲル形成だけでなく、疎水性系又は疎水性有益剤／組成物に懸濁力を提供することもできることが見出された。
【０００５】
疎水性系の粘度を増大させると、疎水性有益剤／組成物の望ましくない早すぎる放出を克服するか、又は疎水性組成物の放出プロファイルを調整することができる。例えば、従来の香料組成物は、多量のいわゆるベースノートと、中等度の量のミドルノートと、少量のトップノートとを含有するピラミッド型三段重ね構造を有する。急速蒸発プロファイルを有するトップノートの寿命を増大させることが望ましい。疎水変性尿素エーテルの添加を通してトップノートの粘度を増大させることによって、トップノートの蒸発を遅らせ、それによって、トップノートの寿命を増大させることができる。クリーム及びスキンケア組成物中の、疎水性活性物質の組成物のレオロジーを変性することによって、このような活性物質の吸収プロファイルを改善することが望ましい。疎水性活性物質に疎水変性尿素エーテルを添加して粘度を増大させることによって、クリーム及びスキンケア組成物の皮膚上における保持性、ひいては吸収プロファイルが延長される。
【課題を解決するための手段】
【０００６】
本発明は、
ａ）疎水性材料と、
ｂ）０．１重量％〜１０重量％の、以下の構造：
【０００７】
【化１】
2019512583.tif 000002
（式中、Ｒ１、Ｒ２、及びＬは、置換又は非置換の脂肪族炭素鎖、置換又は非置換のポリエーテル鎖、及びこれらの混合物からなる群から選択され、
ただし、少なくとも１つのＲ１、Ｒ２、又はＬがエーテル部分を含有する）を有することに従う疎水変性尿素エーテルと、を含み、
疎水変性尿素エーテルが、１０００〜７０００Ｄａの分子量を有する、消費者製品組成物に関する。
【発明を実施するための形態】
【０００８】
疎水変性尿素エーテル
本消費者製品組成物で使用される疎水変性尿素エーテルは、以下の構造：
【０００９】
【化２】
2019512583.tif 000003
（式中、Ｒ１、Ｒ２、及びＬは、置換又は非置換の脂肪族炭素鎖、置換又は非置換のポリエーテル鎖、及びこれらの混合物からなる群から選択され得、
ただし、少なくとも１つのＲ１、Ｒ２、又はＬがエーテル部分を含有する）を有し、分子量は、１０００Ｄａ〜７０００Ｄａ、好ましくは１１００Ｄａ〜３５００Ｄａ、更により好ましくは１１００Ｄａ〜３０００Ｄａである。
【００１０】
Ｌは、以下の式：
（ＩＩ）−Ａａ−Ｂｂ−Ｃｃ−Ｄｄ−
（式中、
ａ、ｂ、ｃ、及びｄは、独立して０〜４０から選択される整数であり、（ａ＋ｂ＋ｃ＋ｄ）は３〜１３２、好ましくは３〜８５であり、
Ａ、Ｂ、Ｃ、Ｄは、独立して、以下からなる群から選択され、
【００１１】
【化３】
2019512583.tif 000004
Ｒ、Ｓ、Ｔ１、Ｔ２、Ｖは、独立して、以下からなる群から選択され、
【００１２】
【化４】
2019512583.tif 000005
Ｗは、−Ｈ又は−ＣＨ３であり、ｗは、１〜３０の整数であり、Ｒ３は、８〜２０個、好ましくは１０〜１８個の炭素の置換又は非置換の脂肪族炭素鎖である）を有し得る。
【００１３】
一態様では、Ｒ１及びＲ２は、独立して、以下：
【００１４】
【化５】
2019512583.tif 000006
（式中、
ａ）Ｎ、Ｍ、及びＥは、独立して、−Ｈ、−ＣＨ３、−ＣＨ２ＣＨ３からなる群から選択され、好ましくは、Ｎ及びＭは−Ｈであり、Ｅは−ＣＨ３であり、
ｂ）ｎは、８〜２０、好ましくは１０〜１８の整数であり、
ｃ）ｅ及びｆは、独立して、０〜３０から選択される整数であり、（ｅ＋ｆ）は、１〜３０であり、好ましくは、（ｅ＋ｆ）は、３〜１５である）からなる群から選択される。
【００１５】
Ｒ１、Ｒ２、及びＲ３は、同じであってよい。
【００１６】
Ｒ１、Ｒ２、及びＲ３は、ポリエーテル鎖を含んでいてよい。あるいは、Ｌがポリエーテル鎖を含んでいてもよい。
【００１７】
ポリエーテル鎖は、部分的に置換されていてもよい、換言すれば、利用可能な置換点が全て置換されている訳ではない。好ましくは、ポリエーテル鎖は、メチル基で置換されている。
【００１８】
疎水変性尿素エーテルの非限定的な例を表１に示す。本発明は、表１中の例の任意の混合物を想到する。
【００１９】
【表１】
2019512583.tif 000007
【００２０】
組成物
本発明に係る消費者製品組成物は、以下を含む：
ａ）疎水性材料
ｂ）０．１重量％〜１０重量％、好ましくは０．１重量％〜７重量％、更により好ましくは０．５重量％〜５重量％の、本発明の疎水変性尿素エーテル。
【００２１】
疎水性材料は、香料原料、皮膚軟化剤、溶媒、感覚剤、及びこれらの混合物であってよい。
【００２２】
疎水性材料は、香料原料、溶媒、及びこれらの混合物を含む香料組成物であってもよい。
【００２３】
理論に束縛されるものではないが、香料組成物は、香料原料により主に形成され得、心地よい香りの提供、悪臭の除去、アロマテラピー、及びこれらの組み合わせのために使用される。一態様では、上記香料組成物は、表２に列挙される香料原料及びその混合物を含み得る。一態様では、上記香料原料は、単独で使用してよい。別の態様では、上記香料原料は、溶離剤などの他の成分と組み合わせてもよい。
【００２４】
【表２−１】
2019512583.tif 000008
【００２５】
【表２−２】
2019512583.tif 000009
【００２６】
一態様では、香料組成物は、悪臭をマスキング、緩和、又は低減することができる香料原料を含み得る。一態様では、上記悪臭低減組成物又は上記香料組成物は、表３に列挙される香料原料及びその混合物を含み得る。
【００２７】
【表３−１】
2019512583.tif 000010
【００２８】
【表３−２】
2019512583.tif 000011
【００２９】
【表３−３】
2019512583.tif 000012
【００３０】
【表３−４】
2019512583.tif 000013
【００３１】
【表３−５】
2019512583.tif 000014
【００３２】
【表３−６】
2019512583.tif 000015
【００３３】
【表３−７】
2019512583.tif 000016
【００３４】
【表３−８】
2019512583.tif 000017
【００３５】
【表３−９】
2019512583.tif 000018
【００３６】
【表３−１０】
2019512583.tif 000019
【００３７】
【表３−１１】
2019512583.tif 000020
【００３８】
理論に束縛されるものではないが、溶媒は、皮膚を通した良好な吸収が望まれる化粧品及び局所用医薬製剤において使用され、それによって、これら溶媒のレオロジー特性が変化することにより、皮膚における保持性が向上する。
【００３９】
溶媒は、中性芳香溶媒（neutral−smelling solvent）であってよい。上記中性芳香溶媒は、香料組成物を希釈するために使用することができる。
【００４０】
溶媒の非限定的な例は、メタノール、エタノール、ミリスチン酸イソプロピル（ＩＰＭ）、トリプロピレングリコールメチルエーテル（ＴＭＰ）、ジプロピレングリコールメチルエーテル（ＤＰＭ）、フタル酸ジエチル（ＤＥＰ）、及びこれらの混合物である。
【００４１】
理論に束縛されるものではないが、一般的に使用される皮膚軟化剤又は保湿剤は、皮膚の外層をより柔らかく、より弾力のあるものにするために特別に設計された疎水性材料である。上記皮膚軟化剤の粘度を増大させると、蒸発が低減することによって皮膚の水和（含水量）が増大する。皮膚軟化剤の非限定的な例としては、天然及び合成の両方、例えば、カプリル酸／カプリン酸トリグリセリド、イソステアリルヒドロキシステアレート、イソステアリルイソステアレート、油、例えば、種子油、脂肪酸エステル、脂肪酸エーテル、グリセロール、グリコール、脂肪炭酸塩、及びこれらの混合物が挙げられる。このような材料は、Ｌａｂｒａｆａｃ（登録商標）ＣＣ（Ｇａｔｔｅｆｏｓｓｅ製）、Ｓｃｈｅｒｃｅｍｏｌ（商標）ＳＨＳ  Ｅｓｔｅｒ、Ｓｃｈｅｒｃｅｍｏｌ（商標）１８１８  Ｅｓｔｅｒ（Ｌｕｂｒｉｚｏｌ製）、Ｆｌｏｒａｓｕｎ（登録商標）９０（Ｆｌｏｒａｔｅｃｈ製）、Ｃｅｔｉｏｌ（登録商標）ＣＣ（ＢＡＳＦ製）という名称で見出すことができる。
【００４２】
疎水性組成物は、感覚剤を含み得る。感覚剤の非限定的な例は、メントール（Ｌ、Ｄ、ラセミ体）、ユーカリプトール及びユーカリ油、ペパーミント油、コーンミント又はアルベンシスミント（arvensis mint）油、スペアミント油、カルボン、丁子油、ケイ皮アルデヒド及びケイ皮誘導体、脂肪族カルボキサミド、ケタール、シクロヘキシル誘導体、モノメンチルコハク酸塩（succinated）、及びこれらの混合物である。いくつかの例は、Ｑａｒｏｍａ，Ｉｎｃ．からＩＳＥ  ３０００として入手可能なＷＳ−３及びＩＳＥ  １０００として入手可能なＷＳ−２３、Ｓｙｍｒｉｓｅから入手可能なＭＧＡ、ＴＫ１０、ＬＩＰＯ  Ｃｈｅｍｉｃａｌｓ（Ｐａｔｅｒｓｏｎ，Ｎ．Ｊ．）から入手可能なＣｏｏｌａｃｔ、並びにＰｈｙｓｃｏｏｌ（商標）である。
【００４３】
組成物は、少なくとも部分的に封入されていてもよく、好ましくは、該封入物は、コアシェル封入物、マトリックス封入物、及びこれらの混合物から選択される。別の態様では、組成物は完全に封入される。
【００４４】
好ましくは、封入物は、コアシェル封入物であり、より好ましくは、該コアシェル封入物は、メラミン−ホルムアルデヒド、アクリレート由来ポリマー及び／又は多官能アクリレート、ポリアミド、ポリ尿素、ポリウレタン、ポリカーボネート、ポリビニルアルコール、アセタール（例えば、１，３，５−トリオール−ベンゼングルタルアルデヒド及び１，３，５−トリオール−ベンゼンメラミン）、デンプン、酢酸フタル酸セルロース、並びにこれらの混合物を含むシェル材料を有する。
【００４５】
好適なメラミン壁材料は、ホルムアルデヒドで架橋されたメラミン、ホルムアルデヒドで架橋されたメラミン−ジメトキシエタノール、及びこれらの混合物を含む。
【００４６】
好適なポリアクリレート壁材料は、１つ以上の多官能アクリレート部分、好ましくは、三官能アクリレート、四官能アクリレート、五官能アクリレート、六官能アクリレート、七官能アクリレート、及びこれらの混合物からなる群から選択される該多官能アクリレート部分と、所望により、アミンアクリレート部分、メタクリレート部分、カルボン酸アクリレート部分、カルボン酸メタクリレート部分、及びこれらの組み合わせからなる群から選択される部分を含むポリアクリレートとを含む。
【００４７】
封入物は、付着助剤、カチオン性ポリマー、非イオン性ポリマー、アニオン性ポリマー、又はこれらの混合物でコーティングされてよい。好適なポリマーは、ポリビニルホルムアルデヒド、部分的にヒドロキシル化されたポリビニルホルムアルデヒド、ポリビニルアミン、ポリエチレンイミン、エトキシル化ポリエチレンイミン、ポリビニルアルコール、ポリアクリレート、キトサン及びキトサン誘導体、並びにこれらの組み合わせからなる群から選択され得る。
【００４８】
消費者製品
本発明にかかる組成物は、消費者製品に含まれ、好ましくは、該消費者製品は、洗濯洗剤、空気ケア製品、液体布地強化剤、固体布地強化剤、布地柔軟剤乾燥機添加シート、パーソナルケア脱臭製品、パーソナルケアボディウォッシュ／シャンプー製品、パーソナルケア制汗剤製品、食器洗浄製品、若しくはスキンケア製品、又はこれらの混合物である。
【００４９】
理論に束縛されるものではないが、疎水変性尿素エーテルは、消費者製品においてレオロジー変性剤として使用することができる。あるいは、組成物が封入又は部分的に封入される場合、疎水変性尿素エーテルを、封入物においてレオロジー変性剤として使用することもできる。
【００５０】
組成物は、洗濯洗剤に含まれ得、該洗濯洗剤は、消費者製品の総重量に基づいて、合計０．０１％〜１０％の上記組成物又は封入組成物と、界面活性剤、ビルダー、キレート剤、移染防止剤、分散剤、酵素及び酵素安定剤、触媒材料、漂白活性化剤、布地柔軟剤活性物質、過酸化水素、過酸化水素源、予形成過酸、ポリマー分散剤、泥汚れ除去／再付着防止剤、増白剤、抑泡剤、染料、色相染料、香料、香料送達系、構造伸縮性付与剤、担体、構造化剤、ヒドロトロープ、加工助剤、溶媒、顔料、及びこれらの混合物からなる群から選択される材料とを含む。
【００５１】
組成物は、空気ケア製品に含まれ得、該空気ケア製品は、消費者製品の総重量に基づいて、合計０．０１％〜２５％の上記組成物又は封入組成物と、所望により、界面活性剤、抗菌剤、湿潤剤、緩衝剤、シクロデキストリン、噴射剤、及び溶媒からなる群から選択される１つ以上の材料とを含む。
【００５２】
組成物は、液体布地強化剤に含まれ得、該液体布地強化剤は、組成物の総重量に基づいて、合計０．０１％〜１０％の上記組成物又は封入組成物と、第四級アンモニウム化合物、シリコーンポリマー、多糖類、粘土、アミン、脂肪酸エステル、分散性ポリオレフィン、ポリマーラテックス、及びこれらの混合物からなる群から選択される布地柔軟剤活性物質とを含む。
【００５３】
組成物は、０．１％〜８％の上記組成物又は封入組成物と、少なくとも約２５％のＰＥＧ  ８０００とを含む布地強化剤固体粒子又はビーズ製品に含まれ得る。
【００５４】
組成物は、０．１％〜１０％の上記組成物又は封入組成物を含む布地柔軟剤乾燥機添加シート製品に含まれ得、不織布シートに含浸され得る。
【００５５】
組成物は、パーソナルケア脱臭製品に含まれ得、該脱臭製品は、消費者製品の総重量に基づいて、合計０．０１％〜５％の上記組成物又は封入組成物と、所望により、約０．０１％〜約７５％の抗菌剤とを含み、好ましくは該抗菌剤は、金属、ゼオライト、金属ゼオライト、第四級アンモニウム（ｑｕａｔ）化合物（例えば、塩化セチルピリジニウム及び塩化ベンジルアルコニウム）、ｑｕａｔ結合粘土、金属結合粘土、ポリアスピリン、サリチル酸、ポリビニルアミン、コールタール、硫黄、ホイットフィールド軟膏、カステラーニ塗布剤、塩化アルミニウム、ゲンチアナバイオレット、オクトピロックス（ピロクトンオラミン）、シクロピロックスオラミン、ウンデシレン酸及びその金属塩、過マンガン酸カリウム、硫化セレン、チオ硫酸ナトリウム、グリコール、ジオール、橙皮油、尿素製剤、グリセオフルビン、８−ヒドロキシキノリンクリオキノール、チオベンダゾール、チオカルバメート、ハロプロジン、ポリエン、ヒドロキシピリドン、モルホリン、ベンジルアミン、アリルアミン（テルビナフィンなど）、茶木油、クローブリーフ油、コリアンダー、パルマローザ、ベルベリン、タイムレッド、ケイ皮油、ケイ皮アルデヒド、シトロネリル酸、ヒノキトール、イクチオールペール、Ｓｅｎｓｉｖａ  ＳＣ−５０、Ｅｌｅｓｔａｂ  ＨＰ−１００、アゼライン酸、リチカーゼ、ヨードプロピニルブチルカルバメート（ＩＰＢＣ）、トリクロサン、トリクロカルバン、イソチアザリノン及びアゾール、並びにこれらの組み合わせ、より好ましくは、ヘキサンジオール、トリクロサン、オクチルイソチアザリノン、Ｚｎ、Ｃｕ、Ａｌ、Ｔｉ、Ｓｎ、Ｂｉ、及びＡｇからなる群から選択される金属、炭酸亜鉛、硫酸銅、及びグルコン酸亜鉛からなる群から選択される金属塩、ＺＰＴ及びＣｕＰＴからなる群から選択される金属ピリチオン塩、プロピレングリコール、ジプロピレングリコール、及びヘキシレングリコールからなる群から選択されるグリコール、並びにこれらの混合物からなる群から選択される。
【００５６】
組成物は、パーソナルケアボディウォッシュ／シャンプー製品に含まれ得、該ボディウォッシュ／シャンプーは、消費者製品の総重量に基づいて、合計０．０１％〜５％の上記組成物又は封入組成物と、約３％〜３０％の界面活性剤と、所望により、ミセル相及び／又はラメラ相とを含む。
【００５７】
組成物は、パーソナルケア制汗剤製品に含まれ得、該制汗剤製品は、消費者製品の総重量に基づいて、合計０．０１％〜５％の上記組成物又は封入組成物と、所望により、約１％〜約２５％のアルミニウム塩制汗剤活性物質とを含む。
【００５８】
組成物は、食器洗浄製品に含まれ得、該食器洗浄製品は、消費者製品の総重量に基づいて、合計０．０１％〜２％の上記組成物又は封入組成物を含む。
【００５９】
組成物は、スキンケア製品に含まれ得、該スキンケア製品は、消費者製品の総重量に基づいて、合計０．１％〜２５％の上記組成物又は封入組成物を含む。
【００６０】
消費者製品は、これらの任意の混合物を含み得る。
【００６１】
方法：
１．疎水変性尿素エーテルの核磁気共鳴（ＮＭＲ）特性評価
疎水変性尿素エーテルの特性評価のために１Ｈ  ＮＭＲを使用する。５〜１０ｍｇ／ｍＬの濃度の溶媒としてのＣＤＣｌ３（Ｓｉｇｍａ）を使用して、サンプルを調製する。３００ＭＨｚで動作するＢｒｕｋｅｒ  Ａｖａｎｃｅ分光計にサンプルを記録する。残留クロロホルム（７．２６ｐｐｍ）に対する百万分率（ｐｐｍ）でスペクトルを報告する。
【００６２】
疎水変性尿素エーテルは、以下の特徴を有する：１Ｈ  ＮＭＲピーク：１）尿素のＮＨ基に対応する約６．０ｐｐｍ、２）ポリエチレン基及びポリプロピレン基のメチレンプロトンに対応する３．１〜３．９ｐｐｍのピーク、３）末端基（Ｒ１）のＣＨ２に対応する１．１〜１．４ｐｐｍにおけるピーク、並びに４）末端ＣＨ３基に対応する０．８ｐｐｍにおける三重項。
【００６３】
尿素官能基のカルボニル基の存在を決定するために１３Ｃ  ＮＭＲも使用する。溶媒として重水素化クロロホルム（Ｓｉｇｍａ）を用いて、サンプルを３０ｍｇ／ｍＬの濃度に調製する。７５ＭＨｚの周波数のＢｒｕｋｅｒ  Ａｖａｎｃｅ  ３００分光計にサンプルを記録する。７７．０ｐｐｍである残留クロロホルムに対する百万分率（ｐｐｍ）でもスペクトルを報告する。１３Ｃ  ＮＭＲに特徴的なピークは、Ｃ＝Ｏ基に対応する約１６０ｐｐｍに現れる。
【００６４】
疎水変性尿素エーテルなどのコポリマーのモノマー比を計算するために、１Ｈ  ＮＭＲ分光法は非常に有益なツールである。この方法では、各プロトンを表すシグナルを特定することが重要である。置換（例えば、−ＣＨ３置換）及び非置換のエーテル鎖の混合物では、以下のとおり整数を計算することができる。
１）プロピレングリコール（ＰＧ）の相対モル数を計算する。ＰＧのＣＨ３に対応するプロトンシグナルは、１．１〜１．４ｐｐｍに現れる。この領域のシグナルは、末端基のＣＨ２と重なっている。したがって、
相対モル数（ＰＧ）＝［（１．１〜１．４ｐｐｍにおける全プロトン積分）−（末端基のＣＨ２プロトンの総数）］／３
（式中、３はメチルプロトンの数である）。
２）エチレングリコール（ＥＧ）の相対モル数を計算する。メチレンプロトンのシグナルは、３．１〜３．９ｐｐｍに現れる。これらシグナルは、ＥＧ及びＰＧのメチレン基の両方からのプロトンを表す。この領域には、ＥＧメチレン基と重なるＰＧ（ＣＨ及びＣＨ２基）由来の３つのプロトンシグナルが存在する。３つのプロピレンプロトンの積分は、メチルプロトンを表す積分（１．１〜１．４ｐｐｍにおけるプロトン積分−末端基のＣＨ２プロトンの総数）と等しい。ＥＧ単位のモル比を決定するために：
相対モル数（ＥＧ）＝［（３．１〜３．９ｐｐｍにおける全プロトン積分）−（（１．１〜１．４ｐｐｍにおけるプロトン積分）−（末端基のＣＨ２プロトンの総数））］／４
（式中、４はＥＧ由来のメチレンプロトンの数である）。
３）ＰＧ（又はＥＧ）のモル％を計算する。
ＰＧ（又はＥＧ）のモル％＝ＰＧ（又はＥＧ）の相対モル数×１００％／（ＰＧの相対モル数＋ＥＧの相対モル数）。
【００６５】
トリス尿素エーテルの整数値を決定するために、１Ｈ  ＮＭＲ分光法を使用してこれら値を計算する。同様の計算を使用して、置換又は非置換のエーテル部分の整数を決定する。
１）プロトン当たりの積分を計算する。この工程では、末端基のプロトンシグナルを特定することが重要である。ポリエーテル尿素誘導体の場合、末端基は２個のＣＨ３単位であり、０．８ｐｐｍに明白に現れる。
プロトン当たりの積分＝０．８ｐｐｍにおけるＣＨ３基のプロトン積分／６
（式中、６は２個のＣＨ３末端基のプロトンの総数である）。
２）繰り返し単位の数を計算する。エチレン基のプロトンシグナルは、３．１〜３．９ｐｐｍに現れる。
繰り返し単位の数＝［（プロトン積分の総数）／（メチレンプロトンの数）］／プロトン当たりの積分
【００６６】
２．ポリエーテル尿素誘導体のフーリエ変換赤外（ＦＴ−ＩＲ）特性評価
ＮＭＲ分光法に加えて、ＦＴＩＲを使用して疎水変性尿素エーテルを更に特性評価する。ＦＴＩＲは、有機、無機、及び高分子の材料の定量的分析及び定性的分析の両方を提供する。この場合、ＦＴＩＲは、吸収スペクトルを定性的に決定するためだけに使用される。Ｂｒｕｋｅｒ  Ｖｅｒｔｅｘ  ７０分光法においてスペクトルをそのまま（neat）記録する。ＯＰＵＳソフトウェアパッケージを使用してＦＴＩＲスペクトルを解析する。ポリエーテル尿素誘導体に特徴的なピークは、ＮＨストレッチ（３３００ｃｍ−１）、Ｃ＝Ｏ（１５００〜１６００ｃｍ−１）、Ｃ−Ｎ（１４００ｃｍ−１）、及びＣ−Ｏ（１１００ｃｍ−１）である。
【００６７】
３．疎水変性尿素エーテルのゲル透過クロマトグラフィー（ＧＰＣ）特性評価
理論に束縛されるものではないが、ＧＰＣは、ポリマーの分子量を決定するための最も一般的な方法の１つである。５ｍｇ／ｍＬの濃度の溶媒としてのテトラヒドロフラン（ＴＨＦ、Ｓｉｇｍａ）を使用して、ＧＰＣサンプルを調製する。線状ポリスチレン標準を用いて較正された、ＰＬｇｅｌ  Ｄカラム及び３０３Ｋの溶出剤としてのＴＨＦを用いて、Ｓｈｉｍａｄｚｕ機器（ＵＶ及びＲＩ検出）でＧＰＣを実施する。疎水変性尿素エーテルのＭｎ又はＭｗの値は、１０００〜７０００Ｄａの範囲内でなければならない。
【００６８】
４．疎水性組成物中の疎水変性尿素エーテルの決定
疎水変性尿素エーテルは、クロロホルムへの溶解性が良好であるため、組成物からポリエーテル尿素誘導体を抽出するためにクロロホルムによる抽出を実施する。まず、１０ｍＬのクロロホルム（Ｓｉｇｍａ）を５００ｍｇの組成物に添加する。２０〜２５℃で２０１２  Ｂｒａｎｓｏｎ  Ｕｌｔｒａｓｏｎｉｃｓ  ＣＰＸＨシリーズの超音波処理機を使用して約１５分間懸濁液を超音波処理し、１５〜２０分間かけて油浴を用いて約４０℃まで穏やかに加熱して、確実に疎水変性尿素エーテルを抽出する。任意の溶解していない固体を濾過又はデカンテーションによって除去する。濾液を回収し、それをロータリーエバポレータ（Ｂｕｃｈｉ  ｒｏｔａｖａｐｏｒ、４０〜４５℃、３０ｋＰａ（３００ミリバール））を使用して濃縮する。方法１〜３（１Ｈ  ＮＭＲ、ＦＴ−ＩＲ、及びＧＰＣ）を使用することによって、濃縮物を特性評価することができる。
【００６９】
代替方法は、抽出前に透析を実施することである。透析は、約２〜３日間、１０００Ｄａの分子量カットオフのメンブレン（Ｓｐｅｃｔｒａ／Ｐｏｒ（登録商標））を使用して実施することができる。これにより、低分子量及び非高分子成分を排除する。透析後、上記のとおりクロロホルムによる抽出を実施して、不溶性成分を更に分離する。
【００７０】
５．レオロジー
ａ．ゲル強度：ＴＡ  Ｉｎｓｔｒｕｍｅｎｔｓ製のＡＲ−Ｇ２レオメーターをレオロジー測定に使用する。プレート：４０ｍｍの標準鋼平行プレート、３００μｍギャップ。１０進当たり１０点を選んで、２０℃及び周波数１Ｈｚで振動応力を０．００１から１０００Ｐａまで増大させる応力掃引試験を使用して、ゲル強度を測定する。線形粘弾性領域内でＧ’及びＧ’’値をとる。
ｂ．粘度：流体の粘度が０．０３１Ｐａ．ｓ（３１ｃＰｓ）以上であるとき、６０ｍｍ  １°コーン及び５２マイクロメートルのギャップサイズを使用し、ＴＡ  Ｉｎｓｔｒｕｍｅｎｔｓ製のＤＨＲ  Ｉを使用して、このパラメータを測定する。剪断速度０．１ｓ−１における粘度は、２０℃で０．０１ｓ−１〜１０００ｓ−１の対数剪断速度掃引から得ることができる。流体粘度が０．０３１Ｐａ．ｓ（３１ｃＰｓ）未満であるとき、二重壁クエットシリンダを使用する。この形状は、直径３０．２ｍｍの内側カップ、直径３１．８５ｍｍの内側ボブ、直径３５ｍｍの外側ボブ、及び直径３７ｍｍの外側カップからなる。これら低剪断流体の粘度は、２０℃で１ｓ−１〜３００ｓ−１の対数剪断速度掃引から得ることができる。
【実施例】
【００７１】
実施例１．Ｌａｂｒａｆａｃ  ＣＣ（Ｇａｔｔｅｆｏｓｓｅ製カプリル酸／カプリン酸トリグリセリド）は、油及びエマルション用の汎用皮膚軟化剤である。これは、皮膚上での感触及び展延性を向上させる。ミリスチン酸イソプロピル（Ｓｉｇｍａ  Ａｌｄｒｉｃｈ製）は、皮膚を通した良好な吸収が望まれる化粧品において、及び香料組成物において溶媒として使用されて、香料の嗅覚的特徴を損なうことなく希釈させる。
【００７２】
同時に、これら材料は高疎水性であり、ゲル化しにくい。
【００７３】
【表４】
2019512583.tif 000021
【００７４】
【化６】
2019512583.tif 000022
【００７５】
非置換の直鎖状疎水変性尿素エーテル（比較例１Ａ及び１Ｂ）は、このファミリーの分子の分子量が、好ましくは、１０００〜３０００Ｄａの範囲内であることを示す。１０００Ｄａ未満では、疎水変性尿素エーテル又は更にはポリエーテルアミン出発物質は、可溶性であり、ゲルを形成せず、組成物のレオロジーも変化させない。３０００Ｄａ超では、疎水変性尿素エーテルは、貯蔵時に沈殿する傾向がある。
【００７６】
メチル置換が含まれているとき（実施例１Ｃ、１Ｄ、１Ｅ、及び１Ｆ）、レオロジー特性は、強力なゲルの実現を著しく改善する（Ｇ’は常にＧ’’よりも高い）。１Ｆは、真に強力なゲル（高Ｇ’値）であり、１１１Ｐａ．ｓ（０．１ｓ−１）の粘度及び約８Ｐａの動降伏応力を有する。
【００７７】
実施例２．比較例疎水変性モノ尿素対ビス尿素
【００７８】
【表５】
2019512583.tif 000023
【００７９】
【化７】
2019512583.tif 000024
【００８０】
疎水変性モノ尿素エーテルは、そのビス尿素アナログに比べて低いレオロジー変性を提供する。
【００８１】
実施例３：
【００８２】
【表６】
2019512583.tif 000025
【００８３】
【化８】
2019512583.tif 000026
【００８４】
実施例３Ｅ、３Ｆ、３Ｇ、及び３Ｈは、比較例である：芳香族基による脂肪族基の置換の結果、疎水変性尿素エーテルが溶解又は沈殿する。
【００８５】
実施例４．香料ゲルＡ〜Ｌは、非ゲル化香料組成物と比べて、経時的に香料の制御放出を提供する。
【００８６】
【表７−１】
2019512583.tif 000027
【００８７】
【表７−２】
2019512583.tif 000028
【００８８】
実施例４Ｃは、１８００ＰａのＧ’、４００ＰａのＧ’’、及び０．５Ｐａの動的降伏応力を有する。
【００８９】
実施例５
【００９０】
【表８】
2019512583.tif 000029
【００９１】
実施例６
【００９２】
【表９】
2019512583.tif 000030
【００９３】
実施例７
２５グラムのブチルアクリレート−アクリル酸コポリマー乳化剤（Ｃｏｌｌｏｉｄ  Ｃ３５１、２５％固形分、ｐＫａ４．５〜４．７（Ｋｅｍｉｒａ  Ｃｈｅｍｉｃａｌｓ，Ｉｎｃ．（Ｋｅｎｎｅｓａｗ，Ｇｅｏｒｇｉａ  Ｕ．Ｓ．Ａ．））を脱イオン水２００グラムに溶解させ、混合する。水酸化ナトリウム溶液を用いて溶液のｐＨをｐＨ４．０に調整する。部分的にメチル化されたメチロールメラミン樹脂（Ｃｙｍｅｌ  ３８５、８０％固形分（Ｃｙｔｅｃ  Ｉｎｄｕｓｔｒｉｅｓ  Ｗｅｓｔ  Ｐａｔｅｒｓｏｎ（Ｎｅｗ  Ｊｅｒｓｅｙ，Ｕ．Ｓ．Ａ．））８グラムを、乳化剤溶液に添加する。予め約５０℃に加熱しておいた実施例４Ｇの組成物２００グラムを、機械的撹拌下で前述の混合物に添加し、該混合物の温度を５０℃に上げる。安定なエマルションが得られるまでより高速で混合した後、第２の溶液及び４グラムの硫酸ナトリウム塩をエマルションに添加する。この第２の溶液は、１０グラムのブチルアクリレート−アクリル酸コポリマー乳化剤（Ｃｏｌｌｏｉｄ  Ｃ３５１、２５％固形分、ｐＫａ４．５〜４．７、Ｋｅｍｉｒａ）、１２０グラムの蒸留水、ｐＨを４．８に調整するための水酸化ナトリウム溶液、２５グラムの部分的にメチル化されたメチロールメラミン樹脂（Ｃｙｍｅｌ  ３８５、８０％固形分、Ｃｙｔｅｃ）を含有する。この混合物を８５℃に加熱し、連続的に撹拌しながら一晩維持して、封入プロセスを完了させる。
【００９４】
実施例８：布地噴霧組成物
本発明に係る組成物を用いて空気ケア製品を調製する。
【００９５】
【表１０】
2019512583.tif 000031
【００９６】
本明細書に開示した寸法及び値は、記載された正確な数値に厳密に限定されるものと理解されるべきではない。むしろ、特に指示がない限り、そのような各寸法は、記載された値及びその値の周辺の機能的に同等の範囲の両方を意味するものとする。例えば、「４０ｍｍ」として開示される寸法は、「約４０ｍｍ」を意味するものとする。
【国際調査報告】
2019512583.tif 000036
2019512583.tif 000037
2019512583.tif 000038